(57)【要約】      （修正有）【課題】スーツケースに用いられるハンドル結合構造を提供する。【解決手段】本発明のスーツケース１０に用いられるハンドル結合構造は、ケース１２に配置される。また、一端を第一結合面とし、他端を第二結合面とし、第一結合面及び第二結合面は共に傾斜形態を呈するハンドグリップ２０と、第一連結面を有する第一連結部材と、第二連結面を有する第二連結部材とを備える。ハンドグリップ２０はケース１２の外表面に配置され、第一連結部材及び第二連結部材はケース１２の内表面に配置される。第一連結面は第一結合面に対向し、第二連結面は第二結合面に対向する。複数の固着部材がケース１２をそれぞれ貫通させることにより対向し合う第一連結面及び第一結合面、並びに対向し合う第二連結面及び第二結合面がそれぞれ連結される。これにより、ハンドルとケース１２との間の結合強度を高める効果及びハンドルの軽量化効果を達成する。【選択図】図１
2019115458.tif 000002
【特許請求の範囲】
【請求項１】
ケースに配置されるスーツケースに用いられるハンドル結合構造であって、
一端を第一結合面とし、他端を第二結合面とし、前記第一結合面及び前記第二結合面が共に傾斜形態を呈するハンドグリップと、
第一連結面を有する第一連結部材と、
第二連結面を有する第二連結部材とを備え、
前記ハンドグリップは前記ケースの外表面に配置され、前記第一連結部材及び前記第二連結部材は前記ケースの内表面に配置され、前記第一連結面は前記第一結合面に対向し、前記第二連結面は前記第二結合面に対向し、複数の固着部材が前記ケースをそれぞれ貫通させることにより対向し合う前記第一連結面及び前記第一結合面、並びに対向し合う前記第二連結面及び前記第二結合面がそれぞれ連結されることを特徴とするスーツケースに用いられるハンドル結合構造。
【請求項２】
前記ケースは凹部を有し、前記凹部の内部の一端は第一接合部とし、他端は第二接合部とし、前記第一接合部は前記第二接合部に対向し、且つ前記第一接合部及び前記第二接合部は共に傾斜形態を呈し、前記ハンドグリップは前記凹部に対向するように前記ケースの外表面に装設され、前記第一結合面は前記第一接合部に近設され、前記第二結合面は前記第二接合部に近設されることを特徴とする請求項１に記載のスーツケースに用いられるハンドル結合構造。
【請求項３】
前記ハンドグリップは本体及びパネルを備え、前記本体の内部は空間とし、前記空間の上方には開口部が形成され、下方は底部とし、前記空間の内部の壁面には少なくとも１つのエッジストップ及び複数の係止縁部を有し、前記パネルの周辺には複数のフック部を有し、前記パネルは前記開口部に装設され、各パネルの底縁は前記エッジストップに当接され、各前記フック部は前記空間内に進入させると共に前記係止縁部にそれぞれ係合されることを特徴とする請求項１に記載のスーツケースに用いられるハンドル結合構造。
【請求項４】
前記空間内は複数の補強リブ構成を有し、前記補強リブ構成は第一リブプレート及び第二リブプレートを備え、前記第一リブプレートの両端は前記空間の対向し合う２面の側壁面に連結され、前記第二リブプレートの一端は前記第一リブプレートに連結されることを特徴とする請求項３に記載のスーツケースに用いられるハンドル結合構造。
【発明の詳細な説明】
【技術分野】
【０００１】
本発明は、旅行の技術分野に関し、より詳しくは、スーツケースのケースに装設されるハンドル結合構造に関する。
【背景技術】
【０００２】
一般的なスーツケースのハンドルにはＵ字型部材が採用されてケースの表面に反転可能に装設されている。この種のハンドルの外観形状は好ましくなく、且つ前記ハンドルと前記ケースと間には定位効果がなく、前記ハンドルをケースの表面に貼り付けることができなかった。よって、前述の従来の形式のハンドル構造及び使用形態は消費者に好まれるものではなかった。
【０００３】
従来、弾性材料または可塑性材料を使用して製造されるスーツケースのハンドル構造は、使用者が前記ハンドルを引く際に、前記ハンドルが変形或いは変移することにより前記ケースの表面から離間する。これにより、使用者が力をかけやすくなり、前記スーツケースを引きやすくなる。
【発明の概要】
【発明が解決しようとする課題】
【０００４】
しかしながら、前記ハンドルが前記ケースの表面に直接装設される上に常に力が加えられて変形するため、前記ハンドルとケースとの間の結合位置が損壊しやすくなった。
【０００５】
なお、前記スーツケースのケースには凹部が形成される。ハンドルは前記ケースに装設されると共に前記凹部に対向し、使用者は前記ハンドルと前記凹部との間の隙間に手を通し、前記ハンドルを握って前記スーツケースを引く。前記ハンドルの両端面は前記ケースの表面に水平に貼り付けられ、更にねじにより螺合されるが、使用者が前記ハンドルを握って前記スーツケースを引く際の作用力により、前記ハンドル及び各前記ねじが容易に脱離してしまう。
【０００６】
そこで、本発明者は上記の欠点が改善可能と考え、鋭意検討を重ねた結果、合理的設計で上記の課題を効果的に改善する本発明の提案に到った。
【０００７】
本発明は、このような従来の問題に鑑みてなされたものである。上記課題解決のため、本発明は、スーツケースのハンドル構造を提供することを主目的とする。すなわち、本発明により従来のスーツケースのハンドルが緩みやすいという欠点を解決させる。
【０００８】
また、本発明の他の目的は、スーツケースに用いられるハンドル結合構造を提供することである。すなわち、ハンドルとケースとの間の結合強度を高める効果を有する。
【０００９】
なお、本発明のさらなる他の目的は、スーツケースに用いられるハンドル結合構造を提供することである。すなわち、ハンドルが軽量化されつつ高い構造強度を有する効果が得られる。
【課題を解決するための手段】
【００１０】
上述した課題を解決し、目的を達成するために、本発明に係るスーツケースに用いられるハンドル結合構造の特徴は、ケースに配置され、
一端を第一結合面とし、他端を第二結合面とし、前記第一結合面及び前記第二結合面が共に傾斜形態を呈するハンドグリップと、第一連結面を有する第一連結部材と、第二連結面を有する第二連結部材とを備え、
前記ハンドグリップは前記ケースの外表面に配置され、前記第一連結部材及び前記第二連結部材は前記ケースの内表面に配置され、前記第一連結面は前記第一結合面に対向し、前記第二連結面は前記第二結合面に対向し、複数の固着部材が前記ケースをそれぞれ貫通させることにより対向し合う前記第一連結面及び前記第一結合面、並びに対向し合う前記第二連結面及び前記第二結合面がそれぞれ連結される。
【発明の効果】
【００１１】
本発明によれば、従来のスーツケースのハンドルは緩みやすいという欠点を解決させる。
【図面の簡単な説明】
【００１２】
【図１】本発明がスーツケースに配置される外観斜視図である。
【図２】本発明がスーツケースに配置される構成を示す概略図である。
【図３】本発明がハンドグリップを引く力状態を概略図である。
【図４】本発明のハンドグリップを示す展開図である。
【図５】本発明のハンドグリップの結合断面を示す構成の概略図である。
【図６】本発明のハンドグリップの結合断面を示す構成の概略図である。
【発明を実施するための形態】
【００１３】
以下、図面を参照しつつ、本発明に係るスーツケースに用いられるハンドル結合構造について具体的に説明する。尚、以下に説明する実施の形態は、特許請求の範囲に記載された本発明の内容を限定するものではない。また、以下に説明される構成の全てが、本発明の必須要件であるとは限らない。
【実施例】
【００１４】
以下、図１〜６を参照しながら、本発明をさらに詳しく説明する。まず、スーツケース１０のケース１２の上方の部位に凹部１４を有する（図１参照）。ハンドグリップ２０は前記ケース１２に配置されると共に前記凹部１４に対向する。次いで、前記ケース１２の下方の部位にも他の凹部１５を有し、且つ他のハンドグリップ２１が前記ケース１２に配置されると共に前記凹部１５に対向する。２つの前記ハンドグリップ２０及び２１の構造は同じであり、且つ２つの前記ハンドグリップ２０及び２１と前記ケース１２との結合結合形式も同じであるため、下述の実施形態では前記ハンドグリップ２０のみ例示する。
【００１５】
前記スーツケース１０の前記ケース１２の前記凹部１４の内部の一端は第一接合部１６とし、他端は第二接合部１８とし、且つ前記第一接合部１６に対向する（図２参照）。前記第一接合部１６及び前記第二接合部１８は共に傾斜形態を呈する。前記ハンドグリップ２０は弧度を有する長方形部材である。前記ハンドグリップ２０の一端は第一結合面２２とし、他端は第二結合面２４とし、且つ前記第一結合面２２に対向する。前記第一結合面２２及び前記第二結合面２４は共に傾斜形態を呈し、且つ前記第一接合部１６及び前記第二接合部１８の傾斜角度に符合する。第一連結部材３０は第一連結面３２を有し、第二連結部材３４は第二連結面３６を有する。
【００１６】
前記ハンドグリップ２０は前記凹部１４に対向するように前記ケース１０の外表面に配置される。前記第一結合面２２は前記第一接合部１６に当接され、前記第二結合面２４は前記第二接合部１８に当接される。前記第一連結部材３０は前記ケース１０の内表面に配置され、前記第一連結面３２は前記第一結合面２２に対向し、前記第二連結部材３４は前記ケース１０の内表面に配置され、前記第二連結面３６は前記第二結合面２４に対向する。
【００１７】
複数の固着部材４０が前記ケース１０をそれぞれ貫通させることにより対向し合う前記第一連結面３２及び前記第一結合面２２、並びに対向し合う前記第二連結面３６及び前記第二結合面２４がそれぞれ連結される。
【００１８】
このような前記ハンドグリップ２０、前記ケース１０、前記第一連結部材３０及び前記第二連結部材３４により前記ケース１０構造の中間層にサンドイッチ形態の結合構造が形成される。
【００１９】
前記第一連結面３２及び前記第一結合面２２が傾斜して対向し合い、前記第二連結面３６及び前記第二結合面２４が傾斜して対向し合うことにより、各前記固着部材４０の装設方向は前記ハンドグリップ２０が引っ張られる方向に対して角度(非平行)を形成させる。
【００２０】
図３に示すように、上述の結合形式により、使用者が前記ケース１０を引っ張る作用力の方向と各前記固着部材４０の脱離方向とにより挟角を有する状態が形成され、これにより、前記ハンドグリップ２０にかけられる作用力が各前記固着部材４０を介して前記ケース１０に伝達される。また、前記ハンドグリップ２０の脱離方向に各前記固着部材４０の干渉及び制限を受けることによって前記ハンドグリップ２０が緩みにくくなる。
【００２１】
図４に示すように、前記ハンドグリップ２０は本体５０及びパネル７０を備える。前記本体５０の両端はそれぞれ前記第一結合面２２及び前記第二結合面２４とし、且つ前記本体５０の両端は前記第一連結部材３０及び前記第二連結部材３４にそれぞれ対向する。
【００２２】
前記本体５０の内部は空間５２とし、前記空間５２の上方には開口部５４が形成され、下方は底部５６とし、前記空間５２の内部の壁面には少なくとも１つのエッジストップ５８及び複数の係止縁部６０を有する。前記パネル７０の周辺には複数のフック部７２を有する。
【００２３】
図５を参照し、前記パネル７０は前記開口部５４に装設され、且つ前記パネル７０の底縁７４は前記エッジストップ５８に当接される。図６を参照し、前記パネル７０の各前記フック部７２は前記空間５４内に進入すると共に前記係止縁部６０にそれぞれ係合される。これにより、前記パネル７０が前記本体５０に堅固に結合されるように装設される。
【００２４】
図４及び５を参照すれば、前記空間５２内には複数の補強リブ構成８０を有する。前記補強リブ構成８０は第一リブプレート８２及び第二リブプレート８４を備える。前記第一リブプレート８２の両端は前記空間５２の対向し合う２面の側壁面に連結される。前記第二リブプレート８４は前記空間５２の前記底部５６から開口部５４に向けて延伸されると共に一端が前記第一リブプレート８２に連結される。前記本体５０が前記空間５２を有することにより軽量化が達成される。前記補強リブ構成８０により軽量化された前記本体５０が好ましい構造強度を有する。
【００２５】
以上、本発明の実施形態について図面を参照して詳述したが、具体的な構成はこの実施形態に限られるものではなく、本発明の要旨を逸脱しない範囲の設計変更等も含まれる。
【符号の説明】
【００２６】
１０  スーツケース
１２  ケース
１４  凹部
１６  第一接合部
１８  第二接合部
２０  ハンドグリップ
２２  第一結合面
２４  第二結合面
３０  第一連結部材
３２  第一連結面
３４  第二連結部材
３６  第二連結面
４０  固着部材
５０  本体
５２  空間
５４  開口部
５６  底部
５８  エッジストップ
６０  係止縁部
７０  パネル
７２  フック部
７４  底縁
８０  補強リブ構成
８２  第一リブプレート
８４  第二リブプレート
【図１】
2019115458.tif 000003
【図２】
2019115458.tif 000004
【図３】
2019115458.tif 000005
【図４】
2019115458.tif 000006
【図５】
2019115458.tif 000007
【図６】
2019115458.tif 000008